(57)【要約】      （修正有）【課題】好ましい記念写真を簡単に得ることができる記念写真作成システムを提供する。【解決手段】携帯型ＧＰＳ受信装置を携帯したユーザは、記念写真を撮りたい位置で位置を計測し、メモリに記録する。画像合成装置は、携帯型ＧＰＳ受信装置に記録された位置の情報を取り込み、対応する地域の風景画像のデータを風景画像データベースから取得する。また、ユーザの肖像画像のデータを肖像画像データベースから取得し、両者を合成して、記念写真を作成する。【選択図】      図８
2005210412.tif 000002
【特許請求の範囲】
【請求項１】
ユーザに携帯され、ユーザからの記録指示に応じて位置を計測し、計測した位置の情報をメモリに記録する計測装置と、
風景画像のデータが地域単位で格納された風景画像記憶装置と、
ユーザの肖像画像のデータが格納された肖像画像記憶装置と、
前記計測装置からメモリに記録された位置の情報を取得し、取得した位置に対応する地域の風景画像のデータを風景画像記憶装置から取得するとともに、ユーザの肖像画像のデータを肖像画像記憶装置から取得し、取得した風景画像と肖像画像とを合成して合成写真を生成する画像合成装置と、
からなることを特徴とする記念写真作成システム。
【請求項２】
ユーザに携帯され、ユーザからの記録指示に応じて位置と時刻を計測し、計測した位置と時刻の情報をメモリに記録する計測装置と、
風景画像のデータが地域、時間単位で格納された風景画像記憶装置と、
ユーザの肖像画像のデータが格納された肖像画像記憶装置と、
前記計測装置からメモリに記録された位置と時刻の情報を取得し、取得した位置、時刻に対応する地域、時間の風景画像のデータを風景画像記憶装置から取得するとともに、ユーザの肖像画像のデータを肖像画像記憶装置から取得し、取得した風景画像と肖像画像とを合成して合成写真を生成する画像合成装置と、
からなることを特徴とする記念写真作成システム。
【請求項３】
ユーザに携帯され、ユーザからの記録指示に応じて位置と月日を計測し、計測した位置と月日の情報をメモリに記録する計測装置と、
風景画像のデータが地域、シーズン単位で格納された風景画像記憶装置と、
ユーザの肖像画像のデータが格納された肖像画像記憶装置と、
前記計測装置からメモリに記録された位置と月日の情報を取得し、取得した位置、月日に対応する地域、シーズンの風景画像のデータを風景画像記憶装置から取得するとともに、ユーザの肖像画像のデータを肖像画像記憶装置から取得し、取得した風景画像と肖像画像とを合成して合成写真を生成する画像合成装置と、
からなることを特徴とする記念写真作成システム。
【請求項４】
ユーザに携帯され、ユーザからの記録指示に応じて位置と月日と時刻を計測し、計測した位置と月日と時刻の情報をメモリに記録する計測装置と、
風景画像のデータが地域、シーズン、時間単位で格納された風景画像記憶装置と、
ユーザの肖像画像のデータが格納された肖像画像記憶装置と、
前記計測装置からメモリに記録された位置と月日と時刻の情報を取得し、取得した位置、月日、時刻に対応する地域、シーズン、時間の風景画像のデータを風景画像記憶装置から取得するとともに、ユーザの肖像画像のデータを肖像画像記憶装置から取得し、取得した風景画像と肖像画像とを合成して合成写真を生成する画像合成装置と、
からなることを特徴とする記念写真作成システム。
【請求項５】
前記計測装置は、一定時間間隔で自動的に計測を実施し、計測した情報をメモリに記録することを特徴とする請求項１、２、３又は４に記載の記念写真作成システム。
【発明の詳細な説明】
【技術分野】
【０００１】
本発明は記念写真作成システムに係り、特に画像合成により記念写真を生成する記念写真作成システムに関する。
【背景技術】
【０００２】
旅先での記念撮影は、よく行なわれることである。しかし、天候に恵まれなかったり、対象物が画面に入りきらなかったりと、思い通りの写真を撮ることは難しい。
【０００３】
そこで、このような問題点を解消すべく特許文献１では、あらかじめ準備してある景勝地の画像と、ユーザを撮影した画像とを合成して印刷する画像合成印刷装置が提案されている。この画像合成印刷装置は、景勝地や記念物のある土地に設置され、ユーザを撮影するカメラと、設置された場所特有の風景や記念物などの画像が格納された画像記憶手段とを備えており、画像記憶手段に記憶された画像を選択して、カメラでユーザを撮影すると、選択した画像を背景として画像が合成され、カラー印刷されて出力される。
【特許文献１】特開平９−３３１４４４号公報
【発明の開示】
【発明が解決しようとする課題】
【０００４】
しかしながら、特許文献１の画像印刷装置は、画像印刷装置が設置された場所でしか使用することができないという欠点がある。
【０００５】
また、画像印刷装置が設置されている場合であっても、滞在時間が短く、時間がない場合などには、使用できないという欠点がある。
【０００６】
本発明は、このような事情に鑑みてなされたもので、好ましい記念写真を簡単に得ることができる記念写真作成システムを提供することを目的とする。
【課題を解決するための手段】
【０００７】
請求項１に係る発明は、前記目的を達成するために、ユーザに携帯され、ユーザからの記録指示に応じて位置を計測し、計測した位置の情報をメモリに記録する計測装置と、風景画像のデータが地域単位で格納された風景画像記憶装置と、ユーザの肖像画像のデータが格納された肖像画像記憶装置と、前記計測装置からメモリに記録された位置の情報を取得し、取得した位置に対応する地域の風景画像のデータを風景画像記憶装置から取得するとともに、ユーザの肖像画像のデータを肖像画像記憶装置から取得し、取得した風景画像と肖像画像とを合成して合成写真を生成する画像合成装置と、からなることを特徴とする記念写真作成システムを提供する。
【０００８】
本発明によれば、計測装置を携帯したユーザは、記念写真を撮りたい位置で計測装置に記録指示を出し、その位置の情報を計測装置のメモリに記録させる。画像合成装置は、その計測装置のメモリに記録された位置の情報を取得し、対応する地域の風景画像のデータを風景画像記憶装置から取得する。また、ユーザの肖像画像のデータを肖像画像記憶装置から取得する。そして、取得した風景画像を背景として肖像画像を合成し、記念写真を作成する。これにより、カメラを携行しなくても、また、撮影地の天気が悪くても、好ましい記念写真を得ることができる。
【０００９】
また、請求項２に係る発明は、、前記目的を達成するために、ユーザに携帯され、ユーザからの記録指示に応じて位置と時刻を計測し、計測した位置と時刻の情報をメモリに記録する計測装置と、風景画像のデータが地域、時間単位で格納された風景画像記憶装置と、ユーザの肖像画像のデータが格納された肖像画像記憶装置と、前記計測装置からメモリに記録された位置と時刻の情報を取得し、取得した位置、時刻に対応する地域、時間の風景画像のデータを風景画像記憶装置から取得するとともに、ユーザの肖像画像のデータを肖像画像記憶装置から取得し、取得した風景画像と肖像画像とを合成して合成写真を生成する画像合成装置と、からなることを特徴とする記念写真作成システムを提供する。
【００１０】
本発明によれば、計測装置を携帯したユーザは、記念写真を撮りたい位置で計測装置に記録指示を出し、その位置と時刻の情報を計測装置のメモリに記録させる。画像合成装置は、その計測装置のメモリに記録された位置と時刻の情報を取得し、対応する地域、時間の風景画像のデータを風景画像記憶装置から取得する。また、ユーザの肖像画像のデータを肖像画像記憶装置から取得する。そして、取得した風景画像を背景として肖像画像を合成し、記念写真を作成する。これにより、訪れた時間の雰囲気に近い記念写真を得ることができる。
【００１１】
また、請求項３に係る発明は、前記目的を達成するために、ユーザに携帯され、ユーザからの記録指示に応じて位置と月日を計測し、計測した位置と月日の情報をメモリに記録する計測装置と、風景画像のデータが地域、シーズン単位で格納された風景画像記憶装置と、ユーザの肖像画像のデータが格納された肖像画像記憶装置と、前記計測装置からメモリに記録された位置と月日の情報を取得し、取得した位置、月日に対応する地域、シーズンの風景画像のデータを風景画像記憶装置から取得するとともに、ユーザの肖像画像のデータを肖像画像記憶装置から取得し、取得した風景画像と肖像画像とを合成して合成写真を生成する画像合成装置と、からなることを特徴とする記念写真作成システムを提供する。
【００１２】
本発明によれば、計測装置を携帯したユーザは、記念写真を撮りたい位置で計測装置に記録指示を出し、その位置と月日の情報を計測装置のメモリに記録させる。画像合成装置は、その計測装置のメモリに記録された位置と月日の情報を取得し、対応する地域、シーズンの風景画像のデータを風景画像記憶装置から取得する。また、ユーザの肖像画像のデータを肖像画像記憶装置から取得する。そして、取得した風景画像を背景として肖像画像を合成し、記念写真を作成する。これにより、訪れた時期の雰囲気により近い記念写真を得ることができる。
【００１３】
また、請求項４に係る発明は、前記目的を達成するために、ユーザに携帯され、ユーザからの記録指示に応じて位置と月日と時刻を計測し、計測した位置と月日と時刻の情報をメモリに記録する計測装置と、風景画像のデータが地域、シーズン、時間単位で格納された風景画像記憶装置と、ユーザの肖像画像のデータが格納された肖像画像記憶装置と、前記計測装置からメモリに記録された位置と月日と時刻の情報を取得し、取得した位置、月日、時刻に対応する地域、シーズン、時間の風景画像のデータを風景画像記憶装置から取得するとともに、ユーザの肖像画像のデータを肖像画像記憶装置から取得し、取得した風景画像と肖像画像とを合成して合成写真を生成する画像合成装置と、からなることを特徴とする記念写真作成システムを提供する。
【００１４】
本発明によれば、計測装置を携帯したユーザは、記念写真を撮りたい位置で計測装置に記録指示を出し、その位置と月日と時刻の情報を計測装置のメモリに記録させる。画像合成装置は、その計測装置のメモリに記録された位置と月日と時刻の情報を取得し、対応する地域、シーズン、時間の風景画像のデータを風景画像記憶装置から取得する。また、ユーザの肖像画像のデータを肖像画像記憶装置から取得する。そして、取得した風景画像を背景として肖像画像を合成し、記念写真を作成する。これにより、訪れた時期、時間の雰囲気により近い記念写真を得ることができる。
【００１５】
また、請求項５に係る発明は、前記目的を達成するために、前記計測装置は、一定時間間隔で自動的に計測を実施し、計測した情報をメモリに記録することを特徴とする請求項１、２、３又は４に記載の記念写真作成システムを提供する。
【００１６】
本発明によれば、計測装置を携行するだけで定期的に位置、月日、時刻等のデータが計測され、メモリに記録される。これにより、記録し忘れるのを防止することができるとともに、旅行等に出かけた場合などには、出発から帰宅までの一連の行程の結果を記念写真で得ることができる。
【発明の効果】
【００１７】
本発明に係る記念写真作成システムによれば、簡単に好ましい記念写真を得ることができる。
【発明を実施するための最良の形態】
【００１８】
以下、添付図面に従って本発明に係る記念写真作成システムを実施するための最良の形態について説明する。
【００１９】
図１は本発明に係る記念写真作成システムの一実施形態を示すシステム構成図である。同図に示すように、本実施の形態の記念写真作成システムは、位置を計測する携帯型ＧＰＳ受信装置１０と、画像の合成処理を行なう画像合成装置５０とで構成されている。
【００２０】
図２は携帯型ＧＰＳ受信装置１０の外観構成を示す斜視図である。同図に示すように、携帯型ＧＰＳ受信装置１０は、本体ボディ１２に液晶モニタ１４、操作ボタン１６、通信コネクタ１８を備えている。
【００２１】
操作ボタン１６は、電源ボタン１６Ａと、ＲＥＣボタン１６Ｂと、メニューボタン１６Ｃと、十字ボタン１６Ｄとからなり、電源ボタン１６Ａの押圧操作で携帯型ＧＰＳ受信装置１０の電源がＯＮ／ＯＦＦされる。そして、電源ＯＮで現在位置（緯度、経度）の計測が開始され、計測した現在位置の情報が液晶モニタ１４に表示される。また、ＲＥＣボタン１６Ｂの押圧操作で計測した現在位置の情報が内蔵メモリに記録される。メモリに記録された位置の情報は、後述するように、通信コネクタ１８を画像合成装置５０に取り込まれる。メニューボタン１６Ｃは、十字ボタン１６Ｄの中央に配置されており、メニュー画面の呼び出しや、十字ボタン１６Ｄで選択したメニュー項目の決定などに使用される。
【００２２】
図３は、携帯型ＧＰＳ受信装置１０の回路構成を示すブロック図である。同図に示すように、携帯型ＧＰＳ受信装置１０は、プログラムに従って各種の演算と制御を行なうマイクロコンピュータ（マイコン）２０、ＧＰＳ衛星からの電波を受信し、測位データを出力するＧＰＳ受信部２２、操作ボタン１６からの操作信号をマイコン２０に出力する操作部２４、日時を計測し、マイコン２０に出力する計時部２６、マイコン２０が算出した位置情報等を液晶モニタ１４に表示する表示部２８、マイコン２０が算出した位置情報等を書き換え可能なメモリ（ＥＥＰＲＯＭ）３０に記録する記録部３２、及び、メモリ３０に記録された位置情報を通信コネクタ１８を介して画像合成装置５０に送信する通信制御部３４で構成されている。
【００２３】
マイコン２０は、制御プログラムに従って各種演算処理を行なうとともに、各構成要素の制御を行なう中央処理装置（ＣＰＵ）３６、制御プログラムを記憶しているＲＯＭ３８、ＣＰＵ３６による制御プログラムの実行中に発生する各種データ等を記憶するＲＡＭ４０で構成されている。
【００２４】
ＧＰＳ受信部２２は、受信アンテナと受信回路とを備え、変調された複数のＧＰＳ衛星からの電波信号をアンテナで受信する。そして、受信した電波信号を受信回路で復調し、衛星位置情報と電波伝搬時間とをマイコン２０に出力する。マイコン２０は、このＧＰＳ受信部２２から入力される複数の衛星位置情報と電波伝搬時間を基に現在位置を測定し、計時部２６で計時された日時情報とともに結果を表示部２８に出力する。表示部２８は、マイコン２０から出力された現在位置と現在日時の情報を液晶モニタ１４に表示させる。
【００２５】
また、マイコン２０は、操作部２４からの記録指示（ＲＥＣボタン１６Ｂの押圧操作）に応じて、測定した現在位置の情報及び計時部２６から取得した現在日時の情報を記録部３２に出力する。記録部３２は、マイコン２０から出力された現在位置と現在日時の情報をメモリ３０に記録する。
【００２６】
通信制御部３４は、通信コネクタ１８に通信ケーブルを介して接続された画像合成装置５０との間で双方向通信を行い、マイコン２０からのコマンドに従ってメモリ３０に記録された位置の情報を画像合成装置５０に送信する。なお、通信コネクタ１８には、ＵＳＢやＩＥＥＥ１３９４等の公知の通信インターフェース規格のものを使用することができる。
【００２７】
図４は、携帯型ＧＰＳ受信装置１０の動作の処理手順を示すフローチャートである。ユーザは、電源ボタン１６Ａを押して携帯型ＧＰＳ受信装置１０の電源をＯＮにする。マイコン２０は、操作部２４からの信号入力に基づき電源がＯＮされたか否かを判断する（ステップＳ１０）。電源がＯＮされると、マイコン２０はＧＰＳ受信部２２に測位を開始させる（ステップＳ１１）。そして、ＧＰＳ受信部２２から出力される複数の衛星位置情報と電波伝搬時間を基に現在位置を測定し、計時部２６で計時された日時情報とともに結果を表示部２８に出力し、現在位置（経度と緯度）と現在日時を液晶モニタ１４に表示させる（ステップＳ１２）。
【００２８】
ユーザは、記念写真を撮りたい位置でＲＥＣボタン１６Ｂを押す。マイコン２０は、操作部２４からの信号入力に基づきＲＥＣボタン１６Ｂが押された否かを判断する（ステップＳ１３）。ＲＥＣボタン１６Ｂが押されると、マイコン２０は、測定した現在位置及び日時の情報を記録部３２に出力し、現在位置及び日時の情報をメモリ３０に記録させる（ステップＳ１４）。
【００２９】
計測を終了する場合は、電源をＯＦＦにする。マイコン２０は、操作部２４からの信号入力に基づき電源がＯＦＦされたか否かを判断する（ステップＳ１５）。電源がＯＦＦされると、マイコン２０は処理を終了する。
【００３０】
このように、電源を投入すると、現在位置、日時が計測され、計測された現在位置、日時の情報が液晶モニタ１４に表示される。そして、記念写真を撮りたい位置でＲＥＣボタン１６Ｂを押すと、ＲＥＣボタン１６Ｂを押した位置での現在位置と日時の情報がメモリ３０に記録される。
【００３１】
画像合成装置５０は、図１に示すように、パーソナルコンピュータ（パソコン）で構成されており、本発明に係る記念写真の作成処理を行なうための記念写真作成プログラムが組み込まれている。
【００３２】
図５は、画像合成装置５０たるパソコンのハードウェア構成を示すブロック図である。同図に示すように、画像合成装置５０としてのパソコンは、記念写真作成プログラムを実行するための中央処理装置（ＣＰＵ）５２、ＣＰＵ５２における演算結果や画像データ等を一時的に格納するためのＲＡＭ５４、オペレーティングシステム（ＯＳ）や記念写真作成プログラム等の各種アプリケーションプログラム、合成処理に使用する画像ファイル等を格納するためのハードディスク装置５６、ＣＤ−ＲＯＭに格納されたデータを読み取るためのＣＤ−ＲＯＭ装置５８、ＣＰＵ５２における演算結果や画像等を表示するための表示装置６０、コマンド、数値等を入力するためのキーボード、マウスといった入力装置６２、周辺機器とケーブルを介して接続するための通信コネクタ６４、ＣＰＵ５２における演算結果や画像等をプリントするためのプリンタ６６、サーバとネットワークを通じて通信するためのモデム６８等を備えており、これらは相互にバス７０で接続されている。
【００３３】
この画像合成装置５０で実行される記念写真作成プログラムは、上述した携帯型ＧＰＳ受信装置１０からメモリ３０に記録されている位置情報を取り込み、取り込んだ位置に対応する地域の風景画像のデータを風景画像データベースから読み出し、肖像画像データベースから読み出したユーザの肖像画像と合成して、記念写真を作成するものである。
【００３４】
風景画像データベースは、図６に示すように、緯度及び経度を所定単位（たとえば、分単位）で分割して地域を分割し、分割された地域ごとに、その地域を代表する風景画像と地名を登録して作成したものであり、ハードディスク装置５６に格納されている。
【００３５】
一方、肖像画像データベースは、図７にユーザごとに、そのユーザの肖像画像を登録して作成したものであり、風景画像データベースとともにハードディスク装置５６に格納されている。なお、肖像画像は、人物のみを抽出した画像データが登録される。
【００３６】
図８は、記念写真作成プログラムが実行する記念写真作成処理の手順を示すフローチャートである。
【００３７】
記念写真作成プログラムが実行されると、まず、携帯型ＧＰＳ受信装置１０から位置情報の取り込みが行なわれ（ステップＳ２０）、ユーザは表示装置６０に表示される指示に従って携帯型ＧＰＳ受信装置１０のメモリ３０に格納された位置情報を画像合成装置５０に読み込ませる。
【００３８】
図９は、記念写真作成プログラムを実行した場合に表示装置６０に表示されるウインドウ画面の表示例を示している。同図に示すように、記念写真作成プログラムを実行すると、ダイアログボックスが表示され、そのダイヤログボックス内に携帯型ＧＰＳ受信装置１０の接続を促すメッセージが表示される。ユーザは、このダイヤログボックス内の指示に従って携帯型ＧＰＳ受信装置１０を画像合成装置５０に接続する。すなわち、携帯型ＧＰＳ受信装置１０の通信コネクタ１８と画像合成装置５０の通信コネクタ６４をケーブルで接続する。そして、接続後、位置情報の読み取りを指示する。すなわち、ダイヤログボックス内に表示された「読み取り実行」のボタンをマウスポインタでクリックする。
【００３９】
ＣＰＵ５２は、読み取り実行の指示に応じて携帯型ＧＰＳ受信装置１０との接続状態を確認し、通信可能であると判断すると、携帯型ＧＰＳ受信装置１０からメモリ３０に記録されている位置情報を取得する。そして、風景画像データベースにアクセスし、取得した位置に対応する地域の風景画像を読み出す（ステップＳ２１）。
【００４０】
読み出した風景画像のデータはＲＡＭ５４に一旦記憶され、図１０に示すように、ＣＰＵ５２からのコマンドに従って表示装置６０に表示される。ユーザは、この表示装置に表示された画像を見て、携帯型ＧＰＳ受信装置１０に記録した位置の風景画像を確認する。なお、この際、風景画像とともに経度及び緯度の情報と、該当する地域の地名が表示される。
【００４１】
ユーザは、画像確認後、次の処理に進む場合は、「次へ」のボタンをマウスポインタでクリックし、ＣＰＵ５２は、この指示に応じて次の処理を実行する。すなわち、ユーザの肖像画像の選択処理に移行する。
【００４２】
図１１は、風景画像に合成するユーザの肖像画像の選択画面の表示例を示している。風景画像の確認後、「次へ」のボタンがマウスポインタでクリックされると、このユーザの肖像画像の選択画面が表示装置６０に表示される。
【００４３】
このユーザの肖像画像の選択画面では、肖像画像データベースに登録されているユーザの肖像画像が所定の表示フレーム内にサムネイル形式で一覧表示される。ＣＰＵ５２は、肖像画像データベースにアクセスして、現在肖像画像データベースに登録されている肖像画像をサムネイル形式で表示フレーム内に一覧表示させる。
【００４４】
ユーザは、この表示フレーム内に表示されたユーザの肖像画像の中から風景画像に合成する自分の肖像画像を選択する（ステップＳ２２）。選択は、合成しようとするサムネイル画像をマウスポインタでクリックすることにより行なわれ、選択後、「次へ」のボタンをマウスポインタでクリックする。
【００４５】
ＣＰＵ５２は、「次へ」のボタンがマウスポインタでクリックされたことを検知すると、選択された肖像画像の画像ファイルを肖像画像データベースから読み出し、ＲＡＭ５４に一時記憶する（ステップＳ２３）。そして、読み出した肖像画像と先に読み出した風景画像とを合成し、記念写真を作成する（ステップＳ２４）。そして、作成した記念写真のを表示装置６０に出力する（ステップＳ２５）。
【００４６】
図１２は、作成した記念写真の画像の表示装置６０への表示例を示している。ユーザは、この表示装置６０の表示を確認し、画像データとして保存する場合は、同じ画面上に表示された「名前をつけて保存」のボタンをマウスポインタでクリックする。ＣＰＵ５２は、保存の指示の有無を判定し（ステップＳ２６）、保存の指示が出されると、作成した記念写真の画像データを指定されたフォルダに指定された名前を付与して格納する（ステップＳ２７）。
【００４７】
また、同じ画面上には「印刷」のボタンが用意されており、作成された記念写真の画像を印刷する場合は、このボタンをマウスポインタでクリックする。ＣＰＵ５２は、印刷の指示が出された場合は、作成した記念写真の画像データをプリンタに出力し、画像をプリントさせる。
【００４８】
このように、本実施の形態の記念写真作成システムによれば、携帯型ＧＰＳ受信装置１０で記念写真を撮りたい位置を測位し、記録するだけで、記念写真として最適な画像を簡単に得ることができる。
【００４９】
なお、本実施の形態では、携帯型ＧＰＳ受信装置１０で測定した位置のみを考慮して、記念写真を作成しているが、位置に加えて時間及び／又はシーズンを考慮することにより、その土地を訪れたときの雰囲気により近い記念写真を作成することができる。
【００５０】
この場合、時間を考慮した記念写真を作成するには、各地域ごとの風景画像のデータを時間単位（たとえば１時間単位）で用意し、風景画像データベースに記録しておく。また、携帯型ＧＰＳ受信装置１０は、位置の測定と同時に時刻の測定を実施し、メモリ３０に記録する。そして、記念写真を作成する際には、携帯型ＧＰＳ受信装置１０から位置の情報とともに時刻の情報を取得し、対応する風景画像のデータを風景画像データベースから読み出す。
【００５１】
また、シーズンを考慮した記念写真を作成するには、各地域ごとの風景画像のデータをシーズン単位（たとえば、１月単位や３月単位）で用意し、風景画像データベースに記録しておく。また、携帯型ＧＰＳ受信装置１０は、位置の測定と同時に月日の測定を実施し、メモリ３０に記録する。そして、記念写真を作成する際には、携帯型ＧＰＳ受信装置１０から位置の情報とともに月日の情報を取得し、対応する風景画像のデータを風景画像データベースから読み出す。
【００５２】
さらに、時刻とシーズンを考慮した記念写真を作成するには、各地域ごとの風景画像のデータをシーズン単位、時間単位で用意し、風景画像データベースに記録しておく。また、携帯型ＧＰＳ受信装置１０は、位置の測定と同時に日時の測定を実施し、メモリ３０に記録する。そして、記念写真を作成する際には、携帯型ＧＰＳ受信装置１０から位置の情報とともに日時の情報を取得し、対応する風景画像のデータを風景画像データベースから読み出す。
【００５３】
またさらに、方角を記録できる携帯型ＧＰＳ受信装置１０を用いる場合には、方角を考慮した記念写真を作成するようにしてもよい。この場合、各地域ごとの風景画像のデータを方角単位（たとえば６度単位）で用意し、風景画像データベースに記録しておき、携帯型ＧＰＳ受信装置１０からは、位置の情報とともに方角の情報を取得する。そして、対応する風景画像のデータを風景画像データベースから読み出す。
【００５４】
このように、位置に加えて時間やシーズン、方角等を考慮することにより、その土地を訪れたときの雰囲気により近い記念写真を作成することができる。
【００５５】
なお、風景画像データベースに格納する画像データは、１つの地域につき１つの画像である必要はなく、１つの地域に複数の画像を用意しておき、ユーザが選択できるようにしてもよい。
【００５６】
また、緯度及び経度による地域の分割は、必ずしも等間隔である必要はなく、観光地ほど詳細に区分けするようにしてもよい。また、地域の分割は、主要観光地についてのみ行なうようにしてもよい。
【００５７】
また、本実施の形態では、風景画像のデータを風景画像データベースの形でハードディスク装置５６に格納しているが、必ずしもハードディスク装置５６に格納する必要はなく、ＣＤ−ＲＯＭやＤＶＤ−ＲＯＭ等に格納しておき、ＣＤ−ＲＯＭ装置やＤＶＤ−ＲＯＭ装置等で読み取るようにしてもよい。さらに、インターネット等のネットワーク上のサーバに風景画像データベースを格納しておき、ネットワークを通じて風景画像のデータをダウンロードするようにしてもよい。
【００５８】
また、ユーザの肖像画像は必ずしも肖像画像データベースの形でハードディスク装置５６に格納する必要はなく、パソコンに接続したデジタルカメラやメモリカードから読み取るようにしてもよい。また、風景画像データベースと同様に肖像画像データベースをＣＤ−ＲＯＭやＤＶＤ−ＲＯＭ等に格納しておき、ＣＤ−ＲＯＭ装置やＤＶＤ−ＲＯＭ装置等で読み取るようにしてもよい。さらに、ネットワーク上のサーバに格納しておき、ネットワークを通じてダウンロードするようにしてもよい。
【００５９】
また、本実施の形態では、位置を計測する手段として専用の携帯型ＧＰＳ受信装置１０を使用しているが、ＧＰＳ機能を備えた携帯機器（たとえば、携帯電話機やデジタルカメラ、ＰＤＡ等）やカーナビゲーションシステムを利用し、これらの機器で計測した位置を利用して記念写真を作成するようにしてもよい。
【００６０】
さらに、本実施の形態では、画像合成装置と携帯型ＧＰＳ受信装置とを通信ケーブルで接続して、携帯型ＧＰＳ受信装置から画像合成装置に位置情報を取り込むようにしているが、携帯型ＧＰＳ受信装置から画像合成装置に位置情報を取り込む手段は、これに限らず他の手段、たとえば無線通信やインターネット等のネットワークを通じて取得するようにしてもよい。また、携帯型ＧＰＳ受信装置に着脱可能なメモリカードを装着し、このメモリカードに位置情報を記録するようにしてもよい。
【００６１】
また、画像合成装置をインターネット等のネットワーク上に配置し、ネットワークを通じて記念写真の作成サービスを提供するようにしてもよい。
【００６２】
図１３は、ネットワークを利用した記念写真作成システムのシステム構成図である。同図において、符号１１０はインターネット等のネットワーク１１２に接続可能なＧＰＳ機能付きの携帯電話機であり、符号１１４は上述した画像合成装置５０と同様の画像処理を行うサービスサーバである。
【００６３】
この記念写真撮影システムにおいて、位置計測はＧＰＳ機能付きの携帯電話機１１０で行なわれ、記念写真の作成処理はサービスサーバ１１４で行なわれる。サービスサーバ１１４は、所定の画像処理等を行なうサーバコンピュータ１１６と、地域ごとの風景画像のデータやユーザの肖像画像のデータが格納された記録装置１１８とから構成されている。なお、ユーザの肖像画像は、あらかじめユーザの登録情報とともに携帯電話機１１０等からサービスサーバ１１４にアップロードしておく。
【００６４】
サービスサーバ１１４が提供する記念写真作成のサービスを利用する場合には、携帯電話機１１０でサービスサーバ１１４のホームページにアクセスし、ユーザの登録情報と記録した位置の情報をサービスサーバ１１４にアップロードする。サービスサーバ１１４は、アップロードされた位置に対応する背景画像を記録装置１１８から読み出すとともに、アップロードされたユーザの登録情報に対応する肖像画像を記録装置１１８から読み出し、合成して記念写真を作成する。作成した記念写真は、ネットワーク１１２経由で利用者の携帯電話機１１０に提供される。
【００６５】
なお、この例では携帯電話機１１０からネットワーク１１２を通じてサービスサーバ１１４のホームページにアクセスし、ユーザの登録情報と記録した位置の情報をアップロードしているが、自宅等のパソコンからネットワーク１１２を通じてサービスサーバ１１４のホームページにアクセスし、ユーザの登録情報と携帯型ＧＰＳ受信装置から読み取った位置の情報をアップロードするようにしてもよい。この場合、作成した記念写真は、ネットワーク１１２経由で利用者のパソコンに提供される。
【図面の簡単な説明】
【００６６】
【図１】本発明に係る記念写真作成システムの一実施形態を示すシステム構成図
【図２】携帯型ＧＰＳ受信装置の外観構成を示す斜視図
【図３】携帯型ＧＰＳ受信装置の回路構成を示すブロック図
【図４】携帯型ＧＰＳ受信装置の動作の処理手順を示すフローチャート
【図５】画像合成装置のハードウェア構成を示すブロック図
【図６】風景画像データベースの説明図
【図７】肖像画像データベースの説明図
【図８】記念写真作成処理の手順を示すフローチャート
【図９】記念写真作成プログラムを実行した場合に表示装置に表示されるウインドウ画面の表示例を示す図
【図１０】風景画像データベースから読み出した風景画像の表示装置への表示例を示す図
【図１１】ユーザの肖像画像の選択画面の表示例を示す図
【図１２】作成した記念写真の画像の表示装置への表示例を示す図
【図１３】ネットワークを利用した記念写真作成システムのシステム構成図
【符号の説明】
【００６７】
１０…携帯型ＧＰＳ受信装置、１２…本体ボディ、１４…液晶モニタ、１６…操作ボタン、１６Ａ…電源ボタン、１６Ｂ…ＲＥＣボタン、１６Ｃ…メニューボタン、１６Ｄ十字ボタン、１８…通信コネクタ、２０…マイクロコンピュータ（マイコン）、２２…ＧＰＳ受信部、２４…操作部、２６…計時部、２８…表示部、３０…メモリ（ＥＥＰＲＯＭ）、３２…記録部、３４…通信制御部、３６…中央処理装置（ＣＰＵ）、３８…ＲＯＭ、４０…ＲＡＭ、５０…画像合成装置、５２…中央処理装置（ＣＰＵ）、５４…ＲＡＭ、５６…ハードディスク装置、５８…ＣＤ−ＲＯＭ装置、６０…表示装置、６２…入力装置、６４…通信コネクタ、６６…プリンタ、６８…モデム、７０…バス
【図１】
2005210412.tif 000003
【図２】
2005210412.tif 000004
【図３】
2005210412.tif 000005
【図４】
2005210412.tif 000006
【図５】
2005210412.tif 000007
【図６】
2005210412.tif 000008
【図７】
2005210412.tif 000009
【図８】
2005210412.tif 000010
【図９】
2005210412.tif 000011
【図１０】
2005210412.tif 000012
【図１１】
2005210412.tif 000013
【図１２】
2005210412.tif 000014
【図１３】
2005210412.tif 000015